(57)【要約】【課題】看板を電柱等の支柱に簡単に取り付ける。【解決手段】電子看板２の少なくとも上下を電柱等の支柱３の上下に設けた上側締付けバンド４および下側締付けバンド５によって取り付ける看板取付金具１であって、電子看板２の上側面２ｂに取付けられ、仮掛け部が設けられた看板側上部金具１１と、電子看板２の下側面２ｃに取付けられ、軸部が設けられた看板側下部金具１２と、看板側上部金具１１の仮掛け部であるボルト１１ｃ１が仮掛けされる仮掛け用溝部１３ｂ１２，１３ｂ１２が設けられた支柱側上部金具１３と、看板側下部金具１２の軸部であるボルト１２ｃ１が挿通される挿通孔１４ｂ１２，１４ｂ１２が設けられた支柱側下部金具１４とを有する。【選択図】図３
2019008171.tif 000002
【特許請求の範囲】
【請求項１】
看板の少なくとも上下を電柱等の支柱の上下に設けた上側締付けバンドおよび下側締付けバンドによって取り付ける看板取付金具であって、
前記看板の上部に取付けられ、仮掛け部が設けられた看板側上部金具と、
前記看板の下部に取付けられ、軸部が設けられた看板側下部金具と、
前記上側締付けバンドに取り付けられ、前記看板側上部金具の仮掛け部が掛止される仮掛け用溝部が設けられた支柱側上部金具と、
前記下側締付けバンドに取り付けられ、前記看板側下部金具の軸部が挿通される挿通孔が設けられた支柱側下部金具とを有することを特徴とする看板取付金具。
【請求項２】
請求項１記載の看板取付金具において、
前記看板側上部金具の仮掛け部および前記看板側下部金具の軸部は、それぞれ、ボルトであり、前記看板側上部金具の仮掛け部であるボルトは、前記支柱側上部金具の仮掛け用溝部に仮掛けされた後、そのボルト先端部に螺合するナットを締付けることによって前記支柱側上部金具の仮掛け用溝部に固定される一方、前記看板側下部金具の軸部であるボルトは、前記支柱側下部金具の挿通孔に挿通された後、そのボルト先端部に螺合するナットを締付けることによって前記支柱側下部金具の挿通孔に固定されることを特徴とする看板取付金具。
【請求項３】
請求項１または請求項２に記載の看板取付金具を用いた看板取付方法であって、
予め支柱側には前記上側締付けバンドによって前記支柱側上部金具を取り付けておく一方、看板側には、上部に前記看板側上部金具を取り付けると共に、下部には前記支柱側下部金具の挿通孔に軸部を通して当該支柱側下部金具および前記下側締付けバンドを連結した看板前記側下部金具を取り付けておき、
看板上部に取り付けた前記看板側上部金具の仮掛け部を前記支柱側上部金具の仮掛け用溝部に仮掛けし、その後、看板下部に取り付けた前記看板側下部金具および前記支柱側下部金具を介し連結しておいた前記下側締付けバンドを支柱に固定して看板の少なくとも上下を電柱等の支柱に取り付けることを特徴とする看板取付方法。
【発明の詳細な説明】
【技術分野】
【０００１】
本発明は、看板の少なくとも上下を電柱等の支柱に取り付ける看板取付金具および看板取付方法に関する。
【背景技術】
【０００２】
看板の少なくとも上下を電柱等の支柱に取り付ける看板取付金具として、例えば、長手方向に延びる板状の上部ホールド部と、その長手方向基端に上部ホールド部と交差方向に延びる上部取付部とを備える上部看板ホールド部材と、長手方向に延びる板状の下部ホールド部とその長手方向基端に下部ホールド部と交差方向に延び下部ホールド部から下側に延びる下部支柱固定面を有する下部取付部とを備える下部看板ホールド部材と、上部支柱固定面とそれと直角方向に連続する看板係着面とを備える係着部材と、支柱の外周側面との対応形状を有し側面の開放部に、上部支柱固定面に対向する上部看板取付面を有する上側バンド部材と下部支柱固定面に対向する下部看板取付面を有する下側バンド部材とを備えたものが提案されている（例えば、特許文献１参照。）。
【先行技術文献】
【特許文献】
【０００３】
【特許文献１】実用新案登録第３２０６４７５号公報
【発明の概要】
【発明が解決しようとする課題】
【０００４】
しかし、前述の特許文献１に開示された看板取付金具では、上側バンド部材の上部看板取付面と係着部材の上部支柱固定面や、および下側バンド部材の下部看板取付面と下部看板ホールド部材の下部取付部の結合はネジなどの締結部材で結合しているため、上側バンド部材および下側バンド部材の上下でネジ孔同士を一致させてネジを通す必要があり、看板の取付作業に手間がかかるという問題があった。
【０００５】
特に、表示内容を適宜変更可能な最近の電子看板の場合、電子機器を内蔵するため、従来の看板より重量が増しているため、設置作業の負担が大きくなっていた。
【０００６】
そこで、本発明はこのような問題点に着目してなされたもので、看板の少なくとも上下を電柱等の支柱に簡単に取り付けることができる看板取付金具および看板取付方法を提供することを目的とする。
【課題を解決するための手段】
【０００７】
上記課題を解決するため、本発明に係る看板取付金具は、看板の少なくとも上下を電柱等の支柱の上下に設けた上側締付けバンドおよび下側締付けバンドによって取り付ける看板取付金具であって、前記看板の上部に取付けられ、仮掛け部が設けられた看板側上部金具と、前記看板の下部に取付けられ、軸部が設けられた看板側下部金具と、前記上側締付けバンドに取り付けられ、前記看板側上部金具の仮掛け部が掛止される仮掛け用溝部が設けられた支柱側上部金具と、前記下側締付けバンドに取り付けられ、前記看板側下部金具の軸部が挿通される挿通孔が設けられた支柱側下部金具とを有することを特徴とする。
ここで、前記看板側上部金具の仮掛け部および前記看板側下部金具の軸部は、それぞれ、ボルトであり、前記看板側上部金具の仮掛け部であるボルトは、前記支柱側上部金具の仮掛け用溝部に仮掛けされた後、そのボルト先端部に螺合するナットを締付けることによって前記支柱側上部金具の仮掛け用溝部に固定される一方、前記看板側下部金具の軸部であるボルトは、前記支柱側下部金具の挿通孔に挿通された後、そのボルト先端部に螺合するナットを締付けることによって前記支柱側下部金具の挿通孔に固定されるように構成すると良い。
また、本発明に係る看板取付方法は、上述の看板取付金具を用いた看板取付方法であって、予め支柱側には前記上側締付けバンドによって前記支柱側上部金具を取り付けておく一方、看板側には、上部に前記看板側上部金具を取り付けると共に、下部には前記支柱側下部金具の挿通孔に軸部を通して当該支柱側下部金具および前記下側締付けバンドを連結した看板前記側下部金具を取り付けておき、看板上部に取り付けた前記看板側上部金具の仮掛け部を前記支柱側上部金具の仮掛け用溝部に仮掛けし、その後、看板下部に取り付けた前記看板側下部金具および前記支柱側下部金具を介し連結しておいた前記下側締付けバンドを支柱に固定して看板の少なくとも上下を電柱等の支柱に取り付けることを特徴とする。
【発明の効果】
【０００８】
本発明に係る看板取付金具は、看板の上部に取付けられ、仮掛け部が設けられた看板側上部金具と、看板の下部に取付けられ、軸部が設けられた看板側下部金具と、上側締付けバンドに取り付けられ、看板側上部金具の仮掛け部が掛止される仮掛け用溝部が設けられた支柱側上部金具と、下側締付けバンドに取り付けられ、看板側下部金具の軸部が挿通される挿通孔が設けられた支柱側下部金具とを有する。
そのため、本発明に係る看板取付金具および看板取付方法によれば、例えば、支柱には上側締付けバンドによって支柱側上部金具を取り付けておく一方、看板には、上部に看板側上部金具を取り付けると共に、下部には支柱側下部金具の挿通孔に軸部を通して当該支柱側下部金具および下側締付けバンドを連結しておいた看板側下部金具を取り付けておけば、看板を支柱に取り付ける場合、まずは看板上部に取り付けた看板側上部金具の仮掛け部を支柱側上部金具の仮掛け用溝部に仮掛けし、その後、看板下部に取り付けた看板側下部金具および支柱側下部金具を介し連結しておいた下側締付けバンドを支柱に締付ければ済むので、看板の少なくとも上下を電柱等の支柱に簡単に取り付けることができる。
【図面の簡単な説明】
【０００９】
【図１】本発明に係る実施形態の看板取付金具の使用状態を示す正面図である。
【図２】本発明に係る実施形態の看板取付金具の使用状態の部分拡大斜視図である。
【図３】本発明に係る実施形態の看板取付金具の使用状態の部分拡大正面図である。
【図４】本発明に係る実施形態の看板取付金具の使用状態の看板側上部金具と支柱側上部金具等の連結を示す部分拡大正面図である。
【図５】本発明に係る実施形態の看板取付金具の使用状態の看板側下部金具と支柱側下部金具等の連結を示す部分拡大正面図である。
【図６】本発明に係る実施形態の看板取付金具の使用状態の平面図である。
【図７】本発明に係る実施形態の看板取付金具の使用状態の部分拡大平面図である。
【図８】本発明に係る実施形態の看板取付金具の使用状態の底面図である。
【図９】本発明に係る実施形態の看板取付金具の使用状態の部分拡大底面図である。
【図１０】本発明に係る実施形態の看板取付金具を構成する看板側上部金具の斜視図である。
【図１１】（ａ）〜（ｃ）それぞれ本発明に係る実施形態の看板取付金具を構成する看板側上部金具の平面図、正面図、右側面図である。
【図１２】本発明に係る実施形態の看板取付金具を構成する支柱側上部金具の斜視図である。
【図１３】（ａ）〜（ｃ）それぞれ本発明に係る実施形態の看板取付金具を構成する支柱側の平面図、正面図、右側面図である。
【図１４】本発明に係る実施形態の看板取付金具を構成する支柱側下部金具の斜視図である。
【図１５】（ａ）〜（ｃ）それぞれ本発明に係る実施形態の看板取付金具を構成する看板側下部金具の平面図、正面図、右側面図である。
【図１６】（ａ）〜（ｃ）それぞれ本発明に係る実施形態の看板取付金具を支柱に取り付ける際の手順を示す説明図である。
【発明を実施するための形態】
【００１０】
次に、本発明に係る看板取付金具および看板取付方法の実施形態について、図面を参照して説明する。なお、下記に説明する実施形態はあくまで本発明の一例であり、本発明は下記の実施形態に限定されるものではなく、本発明の技術思想の範囲内で適宜変更可能である。
【００１１】
本実施形態の看板取付金具１は、図１〜図９に示すように、電子看板２の少なくとも上下を電柱等の支柱３の上下に設けた上側締付けバンド４および下側締付けバンド５によって取り付けるもので、看板側上部金具１１と、看板側下部金具１２と、支柱側上部金具１３と、支柱側下部金具１４とを有する。
【００１２】
以下、まずは公知の電子看板２、上側締付けバンド４および下側締付けバンド５について簡単に説明し、その後、実施形態の看板取付金具１を構成する看板側上部金具１１、看板側下部金具１２、支柱側上部金具１３、支柱側下部金具１４について説明する。
【００１３】
（電子看板２）
電子看板２は、液晶ディスプレイ（液晶モニタ）や、ｅ-ｉｎｋまたはツイストボール方式等により情報を画面に表示する電子ペーパー等の可変表示媒体であり、インターネットと接続されてオンラインで表示すべき内容を変更したり、内蔵メモリ等に予め記憶されている情報を表示部２ａで表示するもので、電源ケーブルや通信ケーブルと接続すると共に、外部機器等と接続するため、図５や図８、図９等に示すように、下側面２ｃに３個の端子２ｃ１〜２ｃ３が設けられている。
【００１４】
このように電子看板２は電子機器を内蔵するため、従来の通常の看板よりも重量が重くなっている。
【００１５】
（上側締付けバンド４および下側締付けバンド５）
上側締付けバンド４および下側締付けバンド５も公知のもので、自在バンドとも呼ばれ、例えば、特開２００６−２７１０２５号公報に開示されている。
【００１６】
つまり、上側締付けバンド４および下側締付けバンド５は、同じもので、例えば、図２や図６等に示すように一端側には所定間隔を開けて複数の透孔が形成されていると共に、他端側には緊締受部４ａ１，４ａ１が形成された複数の一対のバンド片４ａ，４ａ、５ａ，５ａと、その複数の一対のバンド片４ａ，４ａ、５ａ，５ａの一方側に形成された複数の透孔の内のいずれか一の透孔と、両側に形成された複数の透孔の内のいずれか一の透孔とを一致させて接続ボルト４ｂ，５ｂおよび接続ナット４ｃ，５ｃによって一対のバンド片４ａ，４ａ、５ａ，５ａを連結する補助バンド片４ｄ，５ｄとを備え、一対のバンド片４ａ，４ａ、５ａ，５ａの他端側の緊締受部４ａ１，４ａ１は、それらに形成されたボルト孔を介して緊締ボルト４ｅ，５ｅおよび緊締ナット４ｆ，５ｆにより締付けて支柱３に巻回できるように構成されている。
【００１７】
（看板側上部金具１１および看板側下部金具１２）
看板側上部金具１１および看板側下部金具１２は、同じもので上下逆に反転させて電子看板２の上側面２ｂと下側面２ｃにビスやネジ１１ｄ等で取付けられる。看板側上部金具１１および看板側下部金具１２を代表して、図１０および図１１（ａ）〜（ｃ）に看板側上部金具１１の構成を示す。看板側下部金具１２も看板側上部金具１１と同様に構成されている。
【００１８】
看板側上部金具１１は、図１０および図１１（ａ）〜（ｃ）に示すように、電子看板２の上側面２ｂにビスやネジ１１ｄ等で固定するためのネジ孔１１ａ１，１１ａ２が形成された断面コ字状の看板取付部１１ａと、看板取付部１１ａの一端からほぼ９０度曲げられ、本発明の仮掛け部として機能するボルト１１ｃ１が設けられた断面コ字状のボルト支持部１１ｂとを備える。尚、ボルト１１ｃ１先端部は、ナット１１ｃ２が螺合しており、ボルト１１ｃ１がボルト支持部１１ｂに固定される。
【００１９】
また、看板取付部１１ａには、電子看板２の下側面２ｃから突出する３個の端子２ｂ１〜２ｂ３に対応した端子突出孔１１ａ３〜１１ａ５が３箇所形成されている。
【００２０】
従って、看板側下部金具１２は、以上のように構成された看板側上部金具１１を上下反転させ、図５や図８、図９等に示すように、端子突出孔１２ａ３〜１２ａ５からそれぞれ電子看板２の３個の端子２ｂ１〜２ｂ３が突出するように電子看板２の下側面２ｃにビスやネジ１１ｄ等で固定され、ボルト支持部１２ｂに設けられたボルト１２ｃ１が本発明の軸部として機能することになる。
【００２１】
（支柱側上部金具１３）
支柱側上部金具１３は、図１〜図７に示すように上側締付けバンド４に取り付けられるもので、具体的には、図１２および図１３に示すように、支柱当接湾曲板１３ａと、支柱当接湾曲板１３ａに溶接された仮掛け板１３ｂとを備える。
【００２２】
支柱当接湾曲板１３ａは、支柱３の外周面に密接するように支柱３の外周面に沿って平面視湾曲した形状に形成されている。
【００２３】
仮掛け板１３ｂは、所定間隔を離して支柱当接湾曲板１３ａに溶接された一対の側板部１３ｂ１，１３ｂ１と、その側板部１３ｂ１，１３ｂ１間を連結する背板部１３ｂ２とを有し、平面視コ字形状に形成されている。
【００２４】
一対の側板部１３ｂ１，１３ｂ１には、それぞれ、支柱当接湾曲板１３ａ側に上側締付けバンド４を通すためのバンド通し孔１３ｂ１１，１３ｂ１１が形成されている一方、背板部１３ｂ２側に看板側上部金具１１の仮掛け部として機能するボルト１１ｂ１が掛止される仮掛け用溝部１３ｂ１２，１３ｂ１２が形成されている。
【００２５】
仮掛け用溝部１３ｂ１２，１３ｂ１２の上部には、看板側上部金具１１の仮掛け部として機能するボルト１１ｂ１を案内して当該仮掛け用溝部１３ｂ１２，１３ｂ１２に確実かつ簡単にされるよう案内用傾斜部１３ｂ１３，１３ｂ１３が形成されている。
【００２６】
そのため、案内用傾斜部１３ｂ１３，１３ｂ１３によって看板側上部金具１１のボルト１１ｂ１を案内して仮掛け用溝部１３ｂ１２，１３ｂ１２に確実かつ簡単に掛止することができる。
【００２７】
尚、背板部１３ｂ２の中央には、支柱当接湾曲板１３ａに一対の側板部１３ｂ１，１３ｂ１の基部を溶接するため、溶接棒（図示せず。）を通すための溶接用作業孔１３ｂ２１が形成されている。
【００２８】
（支柱側下部金具１４）
支柱側下部金具１４は、図１〜図５、図８および図９に示すように下側締付けバンド５に取り付けられるもので、具体的には、図１４および図１５に示すように、支柱当接湾曲板１４ａと、支柱当接湾曲板１４ａに溶接された連結板１４ｂとを備える。
【００２９】
支柱当接湾曲板１４ａは、支柱側上部金具１３の支柱当接湾曲板１３ａと同様に、支柱３の外周面に密接するように支柱３の外周面に沿って平面視湾曲した形状に形成されている。
【００３０】
連結板１４ｂは、支柱側上部金具１３の仮掛け板１３ｂと同様に、所定間隔を離して支柱当接湾曲板１４ａに溶接された一対の側板部１４ｂ１，１４ｂ１と、その側板部１４ｂ１，１４ｂ１間を連結する背板部１４ｂ２とを有し、平面視コ字形状に形成されている。
【００３１】
一対の側板部１４ｂ１，１４ｂ１には、それぞれ、支柱当接湾曲板１４ａ側に下側締付けバンド５を通すためのバンド通し孔１４ｂ１１，１４ｂ１１が形成されている一方、背板部１４ｂ２側に看板側下部金具１２の軸部として機能するボルト１１ｃ１が挿通される挿通孔１４ｂ１２，１４ｂ１２が設けられている。
【００３２】
尚、背板部１４ｂ２の中央には、背板部１３ｂ２と同様に、支柱当接湾曲板１４ａに一対の側板部１４ｂ１，１４ｂ１の基部を溶接するため、溶接棒（図示せず。）を通すための溶接用作業孔１４ｂ２１が形成されている。
【００３３】
＜実施形態の看板取付金具１を用いた看板取付方法＞
次に、以上のように構成された実施形態の看板取付金具１を用いた看板取付方法について、図１６（ａ）〜（ｃ）を参照して説明する。
【００３４】
まず、図１６（ａ）に示すように、予め支柱３の５ｍ程度の高さに上側締付けバンド４によって支柱側上部金具１３を取り付けておく。
【００３５】
一方、電子看板２側には、上側面２ｂにネジ１１ｄ等で看板側上部金具１１を取り付けると共に、下側面２ｃにはネジ１２ｄ等で看板側下部金具１２を取り付けておく。
【００３６】
その際、電子看板２の上側面２ｂに固定した看板側上部金具１１には何も取り付けておかないが、電子看板２の下側面２ｃに固定した看板側下部金具１２には、ボルト支持部１２ｂに支持された軸部であるボルト１２ｃ１を支柱側下部金具１４の連結板１４ｂの挿通孔１４ｂ１２，１４ｂ１２に通しナット１２ｃ２により締結して支柱側下部金具１４を連結しておくと共に、支柱側下部金具１４のバンド通し孔１４ｂ１１，１４ｂ１１に下側締付けバンド５を通しておく。
【００３７】
次に、図１６（ａ）の矢印で示すように、電子看板２の上側面２ｂに固定した看板側上部金具１１のボルト支持部１１ｂに取り付けておいたボルト１１ｃ１を、支柱３側に上側締付けバンド４によって取り付けておいた支柱側上部金具１３の仮掛け用溝部１３ｂ１２，１３ｂ１２に落とし込んで仮掛けする。
【００３８】
電子看板２側の看板側上部金具１１を支柱３側の支柱側上部金具１３に仮掛けすると、支柱３に対して電子看板２が仮固定されるので、電子機器が内蔵され重量が増している電子看板２であっても、設置作業の負担を軽減することができる。
【００３９】
次に、図１６（ｂ）に示すように、電子看板２の下側面２ｃ側を支柱３側に近付けると、その下側面２ｃに看板側下部金具１２および支柱側下部金具１４を介して連結している下側締付けバンド５が支柱３の周囲に位置するので、必要あれば、図１６（ｂ）の矢印で示すように、下側締付けバンド５の一対のバンド片５ａ，５ａを補助バンド片５ｄに対し回動させる等して水平にし、ほぼ水平になると、図１６（ｃ）に示すように、下側締付けバンド５の一対のバンド片５ａ，５ａの緊締受部５ａ１，５ａ１に緊締ボルト５ｅおよび緊締ナット５ｆにより締付けて支柱３に固定する。
【００４０】
その後、必要あれば、支柱側上部金具１３の仮掛け用溝部１３ｂ１２，１３ｂ１２に仮掛けした看板側上部金具１１のボルト１１ｃ１先端に螺合しているナット１１ｃ２を増締めしたり、上側締付けバンド４の緊締ボルト４ｅ先端に螺合している緊締ナット４ｆを増締めしたり、支柱側下部金具１４の挿通孔１４ｂ１２，１４ｂ１２に挿通している看板側下部金具１２のボルト１２ｃ１先端に螺合しているナット１２ｃ２を増締めしたり、下側締付けバンド５の接続ボルト５ｂ先端に螺合している接続ナット５ｃや緊締ボルト５ｅ先端に螺合している緊締ナット５ｆを増締めして、電子看板２を看板取付金具１や上側締付けバンド４、下側締付けバンド５等を介して支柱３に固定する。
【００４１】
従って、実施形態の看板取付金具１およびその金具１を用いた看板取付方法によれば、看板側上部金具１１と、看板側下部金具１２と、看板側上部金具１１の仮掛け部であるボルト１１ｃ１が仮掛けされる仮掛け用溝部１３ｂ１２，１３ｂ１２が設けられた支柱側上部金具１３と、看板側下部金具１２の軸部であるボルト１２ｃ１が挿通される挿通孔１４ｂ１２，１４ｂ１２が設けられた支柱側下部金具１４とを有するため、電子看板２を支柱３に取り付ける場合、まずは電子看板２上側面２ｂに取り付けた看板側上部金具１１のボルト１１ｃ１を支柱側上部金具１３の仮掛け用溝部１３ｂ１２，１３ｂ１２に仮掛けし、その後、電子看板２下側面２ｃに取り付けた看板側下部金具１２および支柱側下部金具１４を介し連結しておいた下側締付けバンド５を支柱３に締付ければ済むので、電子看板２を電柱等の支柱３に簡単に取り付けることができる。
【００４２】
特に、電子看板２は、電子機器を内蔵するため、従来の通常の看板よりも重量が重くなるのが通常であるが、電子看板２上側面２ｂに取り付けた看板側上部金具１１のボルト１１ｃ１を支柱側上部金具１３の仮掛け用溝部１３ｂ１２，１３ｂ１２に仮掛けした後、電子看板２全体を支柱３に固定するので、高所で重量が重い電子看板２を取り付ける場合でも、簡単かつ確実に取り付け作業を行うことが可能となり、作業効率を向上させることができる。
【００４３】
また、実施形態の看板取付金具１では、看板側上部金具１１と看板側下部金具１２とを同じ形状の物を上下反対にして使用できるように構成したため、部品点数を削減することができる。
【符号の説明】
【００４４】
１  看板取付金具
１１  看板側上部金具
１１ａ１，１１ａ２  ネジ孔
１１ａ３〜１１ａ５  端子突出孔
１１ｂ  ボルト支持部
１１ｃ１  ボルト（仮掛け部）
１１ｃ２  ナット
１２  看板側下部金具
１２ａ１２１ａ２  ネジ孔
１２ａ３〜１２ａ５  端子突出孔
１２ｂ  ボルト支持部
１２ｃ１  ボルト（軸部）
１２ｃ２  ナット
１３  支柱側上部金具
１３ａ  支柱当接湾曲板
１３ｂ  仮掛け板
１３ｂ１，１３ｂ１  側板部
１３ｂ１１，１３ｂ１１  バンド通し孔
１３ｂ１２，１３ｂ１２  仮掛け用溝部
１３ｂ１３，１３ｂ１３  案内用傾斜部
１３ｂ２  背板部
１３ｂ２１  溶接用作業孔
１４  支柱側下部金具
１４ｂ１，１４ｂ１  側板部
１４ｂ１１，１４ｂ１１  バンド通し孔
１４ｂ１２，１４ｂ１２  挿通孔
１４ｂ２  背板部
１４ｂ２１  溶接用作業孔
２  電子看板（看板）
２ａ  表示部
２ｂ  上側面
２ｃ  下側面
２ｃ１〜２ｃ３  端子
３  支柱
４  上側締付けバンド
５  下側締付けバンド
４ａ，４ａ、５ａ，５ａ  バンド片
４ｂ，５ｂ  接続ボルト
４ｃ，５ｃ  接続ナット
４ｄ，５ｄ  補助バンド片
４ｅ，５ｅ  緊締ボルト
４ｆ，５ｆ  緊締ナット
【図１】
2019008171.tif 000003
【図２】
2019008171.tif 000004
【図３】
2019008171.tif 000005
【図４】
2019008171.tif 000006
【図５】
2019008171.tif 000007
【図６】
2019008171.tif 000008
【図７】
2019008171.tif 000009
【図８】
2019008171.tif 000010
【図９】
2019008171.tif 000011
【図１０】
2019008171.tif 000012
【図１１】
2019008171.tif 000013
【図１２】
2019008171.tif 000014
【図１３】
2019008171.tif 000015
【図１４】
2019008171.tif 000016
【図１５】
2019008171.tif 000017
【図１６】
2019008171.tif 000018